(57)【要約】      （修正有）【課題】構造の簡素化により製造コストの低減が図られる使い捨てコップの収納袋を提供する。【解決手段】複数の使い捨てコップ４を収納するための長筒状の袋体３であって、袋体の上端に使い捨てコップを袋体に入れるための装入口３１が設けられ、袋体の下端に使い捨てコップを引き出すための引き出し口３２が設けられる使い捨てコップの収納袋において、袋体の引き出し口の両側に、屈曲の出口を構成するために、位置や数量が対称的ではない複数の第１の熱溶着部３３がそれぞれ形成されていることを特徴とする。【選択図】図３
0003134433.tif 000002
【実用新案登録請求の範囲】
【請求項１】
複数の使い捨てコップを収納するための長筒状の袋体であって、前記袋体の上端に使い捨てコップを前記袋体に入れるための装入口が設けられ、前記袋体の下端に前記使い捨てコップを引き出すための引き出し口が設けられる使い捨てコップの収納袋において、
前記袋体の引き出し口の両側に、屈曲の出口を構成するために、位置や数量が対称的ではない複数の第１の熱溶着部がそれぞれ形成されていることを特徴とする使い捨てコップの収納袋。
【請求項２】
前記第１の熱溶着部は、円点状または短線状であることを特徴とする請求項１に記載の使い捨てコップの収納袋。
【請求項３】
前記引き出し口の底辺にある第２の熱溶着部をさらに複数備えていることを特徴とする請求項１に記載の使い捨てコップの収納袋。
【請求項４】
前記第２の熱溶着部は、円点状または短線状であることを特徴とする請求項３に記載の使い捨てコップの収納袋。
【請求項５】
前記引き出し口の底辺にある引き裂き部をさらに備えていることを特徴とする請求項１に記載の使い捨てコップの収納袋。
【請求項６】
前記使い捨てコップは、紙コップまたはプラスチックコップからなることを特徴とする請求項１に記載の使い捨てコップの収納袋。
【考案の詳細な説明】
【技術分野】
【０００１】
本考案は、使い捨てコップの収納袋に関し、より詳しくは、使い捨てコップを収納するための収納袋に関するものである。
【背景技術】
【０００２】
日常生活のなかで、紙コップは、使用が一回きりで済むので、ガラス、金属またはセラミックスからなる容器による衛生上の問題が生ずるおそれがなく、しかも、スペースを取らずに積み重ねることができる一方、重量が軽くて搬送に有利である。
【０００３】
紙コップの引き出し使用を便利にするために、プラスチック材質または金属材質からなる中空の筒状容器を作成し、該容器が積重ね紙コップを収納可能の空間となり、該容器の一端に紙コップ装入口が設けられ、他の一端に紙コップ引き出し口が設けられ、該容器の下端の引き出し口の中空部の適当箇所に紙コップの落下の防止のために紙コップの上端開口の凸縁部を挟持して、紙コップが下方へ引き出される場合に１個ずつ引き出されるようにするための挟持部が設けられ、容器の上端の装入口に衛生上の問題が生じないように該装入口を覆うことにより異物が紙コップ内に侵入することを防止するための蓋が設けられ、該装入口の側縁に掛け止めるためのホールが設けられ、または容器の本体の一側に該容器を掛け止めるための掛け止め部が設けられることにより、該容器が壁に掛け止められることが可能となり、紙コップの取り出しが容易となる。
【０００４】
上述の紙コップが引き出される容器は、紙コップが収納され、紙コップが容易に引き出されることが図られるが、使用者は、この容器を別途に買わなければならないことがあった。使用者が容器を別途に買うという不便を解決するために、紙コップを包装するための包装袋をそのまま利用することにより、使用者はそれを購買した後にそのまま使用することができる「長短挟持片を有する紙コップ挟持容器」が、例えば、中華民国実用新案公告第０８６８９３号に開示されている。図１に示すように、紙コップ挟持容器は、主に、軟管袋１１の下端に錐形縮小部１１０が形成され、錐形縮小部１１０において紙コップ挟持筒１２が入れられ、紙コップ挟持筒１２の下段部は錐形の配列となるように複数の弾性片１２１に分割され、弾性片１２１の下端の内側壁に凸縁１２３が形成され、軟管袋１１において紙コップ１３が入れられるようになっている。
【０００５】
紙コップ挟持筒１２の下段部の弾性片１２１が錐形配列となり、該弾性片１２１の下端の内側壁に凸縁１２３が形成され、紙コップ１３の上端のコップ口の凸縁１３１は、その内径が弾性片１２１の下端の凸縁１２３により囲まれた内径より大きいため、該紙コップ１３が重力により紙コップ挟持筒１２に掛け止められ、紙コップ１３を取り出そうとする場合、紙コップ１３を下方へ引き出すことにより、該紙コップ１３の凸縁１３１を弾性片１２１の下端の凸縁１２３に通すことで、紙コップ１３の抽出が可能となる。
【０００６】
しかしながら、紙コップ１３を包装するための軟管袋１１に錐形縮小部１１０が形成されなければならず、さらに、紙コップ挟持筒１２の製造も必要であるため、製造コストの増加をもたらす。消費者が容器を別途に購買するという不便を解決することができるが、コストが増大し、製造者の販売に不利となることがあった。
【０００７】
上記の従来構造の欠点を解決するために、図２に示すように、紙コップ収納用可撓性袋体２１において、その一端に紙コップ装入口２１０が設けられ、他の一端に紙コップ引き出し口２１２が設けられ、該紙コップ引き出し口２１２の上方の適当箇所に、袋体２１を前後側から挟持できるように内側縁が弧形となる一対の留め具２３が設けられ、該留め具２３の互いに対向した弧形側縁の間を、袋体縮径部の口径が該紙コップ２５の上端の凸縁２５１より小さくなるように形成し、紙コップ２５を導引して挟持することで、該紙コップ２５の滑脱が難しくなり、紙コップの取り出しが容易となることが図られる「取り出し式コップ挟持具」が、例えば、中華民国実用新案公告第４０１７９３号に開示されている。
【０００８】
この構造は、前記の従来の構造より簡素化されているが、袋体２１の下端にある紙コップ引き出し口２１２の両側を留め具２３で挟持しなければ、紙コップ２５を挟持するための縮径部を形成することができず、しかも、留め具２３を別途に製造する必要があるため、材料、金型及び製造のコストが増大し、また、該留め具２３を、機具または手で袋体２１の下端にある紙コップ引き出し口２１２に固着しなければならないため、人手の組み立てのコストおよび組み立て機具のコストが増大し、全体のコストの低減が図られなくなることもあった。
【０００９】
さらに、同じ効果を達成することができる「コップ挟持具を有する紙コップ袋」が中華民国実用新案公告第５５４９１３号にも開示されている。
【００１０】
また、袋体２１の紙コップ引き出し口２１２の両側にある留め具２３が対称的に設けられてなる袋体縮径部の口径が該紙コップ２５の上端にある凸縁２５１より小さくなる場合、紙コップ２５が取り出される際に、紙コップ２５の開口の凸縁２５１が袋体２１の両側にある留め具２３を押しのけ、該留め具２３が外へ拡張される。このように、袋体縮径部の口径が次々に拡張され、紙コップ２５の開口の凸縁２５１に等しくまたはそれより大きくなり、紙コップ２５が袋体２１内に定置されなくなり、紙コップ２５を一度取り出す場合、袋体２１に積重ねられた紙コップが外部に落下し、若しくは複数の紙コップ２５がまとまって引き出されるようになり、使用上の不便があった。
【００１１】
従って、製造工程および材料のコストをより低減させ、紙コップの取り出しの際に袋体に積重ねられた紙コップの外部への落下、若しくは複数の紙コップがまとまって引き出されてしまうことを回避することは、紙コップの包装袋業者が解決したい課題となっている。
【００１２】
【特許文献１】中華民国実用新案公告第０８６８９３号
【特許文献２】中華民国実用新案公告第４０１７９３号
【特許文献３】中華民国実用新案公告第５５４９１３号
【考案の開示】
【考案が解決しようとする課題】
【００１３】
そこで、以上のとおりの事情に鑑み、本考案は、製造コストを低減する簡素化構造である使い捨てコップの収納袋を提供することを課題とする。
【００１４】
また、使い捨てコップの取り出しの際に袋体に積重ねられた使い捨てコップの外部への落下や、複数の使い捨てコップがまとまって引き出されてしまうことを回避することができる使い捨てコップの収納袋を提供することを課題とする。
【課題を解決するための手段】
【００１５】
上記の課題を解決するために、本考案に係る使い捨てコップの収納袋は、複数の使い捨てコップを収納するための長筒状の袋体であって、該袋体の上端に使い捨てコップを該袋体に入れるための装入口が設けられ、該袋体の下端に引き出し口が設けられる使い捨てコップの収納袋において、該袋体の引き出し口の両側に、屈曲の出口を構成するために、位置や数量が対称的ではない複数の第１の熱溶着部がそれぞれ形成されていることを特徴としている。
【００１６】
第１の熱溶着部は、例えば、熱溶着機具により袋体に円点状または短線状に熱圧形成され、位置や数量が非対称的に配列されるように屈曲の出口に形成されることにより、該使い捨てコップを袋体内にブロッキングすることで、従来のように留め具で包装袋に挟設させることによる欠点を解決することができる。
【００１７】
上記の構造は、さらに、該引き出し口の底辺にある第２の熱溶着部が複数設けられ、該第２の熱溶着部は、円点状または短線状であり、また、該引き出し口の底辺に引き裂き部が設けられ、最初に使用する場合、該引き裂き部を引き裂くことにより、該引き出し口が露出され、該第２の熱溶着部により該袋体に包装された使い捨てコップをブロッキングすることにより、該引き裂き部が万一抜けたら該引き出し口が開口されて該使い捨てコップが落下することを回避することができる。最初に該使い捨てコップを引き出す場合、該第２の熱溶着部が破壊され、該使い捨てコップが取り出される。
【００１８】
使い捨てコップを取り出す場合、屈曲の出口方向に沿って取り出すことにより、使い捨てコップを取り出すことができ、使い捨てコップが第１の熱溶着部を押しのけることによって開口が拡大され、使い捨てコップの落下または複数の使い捨てコップがまとまって引き出されてしまう欠点を回避することができる。
【００１９】
従って、本考案は、主に、袋体に例えば、熱溶着機具により位置や数量が非対称的に配置される第１の熱溶着部が形成されることで屈曲の出口が形成されることにより、使い捨てコップが袋体内にブロッキングされることで、構造の簡素化や製造コストの低減が図られ、従来のように部材を別途に購入することによって金型、材料及び組み合わせ等のコストが増加し、全体のコストが増加するという欠点を解決し、また、該屈曲の出口により該使い捨てコップを袋体内にブロッキングすることにより、従来の構造のように紙コップを対称の留め具で挟持するという欠点を回避し、開口が拡大されることによって使い捨てコップの落下または複数の使い捨てコップがまとまって引き出されてしまうことを防止することができる。
【考案の効果】
【００２０】
本考案によれば、構造の簡素化により製造コストの低減が図られる使い捨てコップの収納袋を得ることができる。
【考案を実施するための最良の形態】
【００２１】
下記は特定の具体実施例によって本考案の実施方式を説明する。明細書に記載の内容によってこの技芸に習熟した者は簡単に本考案のその他の利点や効果を理解できる。
図３に示すように、本考案は、複数の使い捨てコップ４を収納するための長筒状の袋体３であって、使い捨てコップ４は紙コップまたはプラスチックコップからなり、袋体３の上端に使い捨てコップ４を袋体３に入れるための装入口３１が設けられ、また、袋体３の下端に使い捨てコップ４を引き出すための引き出し口３２が設けられる使い捨てコップの収納袋において、袋体３の引き出し口３２の両側に、屈曲の出口を構成するために位置や数量が対称的ではない複数の円点状である第１の熱溶着部３３がそれぞれ形成されていることを特徴としている。
【００２２】
また、袋体３の引き出し口３２の底辺に複数の第２の熱溶着部３５が設けられ、該第２の熱溶着部３５は、円点状または短線状であって、引き出し口３２の底辺に引き裂き部３６が設けられることにより、袋体３を完全にシールして、袋体３内に包装された使い捨てコップ４を汚染から回避することができる。
【００２３】
袋体３の装入口３１の下方に掛け止め用の掛け孔３７が設けられ、掛け孔３７の周囲に掛け孔３７の周囲の強度を強めるための硬質パッキング３７ａが形成され、掛け止められた場合の重量を受け持つことが可能となり、掛け孔３７の破裂や損壊を回避することができる。
【００２４】
図４に示すように、最初に使用する場合、引き出し口が露出されるように、まず該引き裂き部３６を引き裂き、かつ、引き出し口３２の底辺にある第２の熱溶着部３５を破壊し、第２の熱溶着部３５が使い捨てコップ４の底部にあれば、押しのけにより使い捨てコップ４を引き出し口３２より押し出すことにより、第２の熱溶着部３５が破壊され、使い捨てコップ４が取り出される。第２の熱溶着部３５が使い捨てコップ４の両側にあれば、露出された使い捨てコップ４の底部が外部へ直接引き出されることにより、使い捨てコップにより第２の熱溶着部３５が破壊され、引き出し口３２が完全に露出されるようにする。
【００２５】
引き裂き部３６が万一抜けたら、第２の熱溶着部により使い捨てコップ４をブロッキングすることにより、引き出し口３２が開口され、使い捨てコップ４が落下することを回避することができる。
【００２６】
第１の熱溶着部３３は、熱溶着機具により円点状に形成され、位置や数量が非対称的に配置されるように形成されている。図に示すように、左側が一点で、右側が２点である配列構造により、屈曲の出口３４が構成され、屈曲の出口３４により使い捨てコップ４がブロッキングされ、使い捨てコップ４の直接の落下が防止される。使い捨てコップ４を取り出そうとする場合、使い捨てコップ４の下部のみをそのまま掴んで、使い捨てコップ４を屈曲の出口３４に沿って外部へ引き出せば、使い捨てコップ４を袋体３の引き出し口３２から取り出すことができる。
【００２７】
袋体３の引き出し口３２において第１の熱溶着部３３により構成される屈曲の出口３４が設けられ、屈曲の出口３４により積重ねられた使い捨てコップ４を分離させることにより、複数の使い捨てコップ４がまとまって引き出されてしまうことを回避することができる。
【００２８】
第１の熱溶着部３３は、熱溶着機具により袋体３の引き出し口３２の上部に熱圧形成され、不必要な部材を使用することはないため、従来のように部材が別途に組み合わせられることによる欠点を解除することができる。
【００２９】
図５Ａないし図５Ｃに示すように、本考案に係る第１の熱溶着部のその他の実施態様であり、第１の熱溶着部３３’は短線状であり、垂直、水平または傾斜方向に非対称的に配列されることにより、屈曲の出口３４が形成される。
【００３０】
従来の構造に比較して、本考案は、主に、袋体に熱溶着機具により位置や数量が非対称的に配置される第１の熱溶着部が形成されることで屈曲の出口が形成されることにより、使い捨てコップが袋体内にブロッキングされ、構造の簡素化や製造コストの低減が図られ、従来のように部材を別途に購入することによる欠点を解決し、また、屈曲の出口により使い捨てコップを袋体内にブロッキングすることにより、従来の構造のように紙コップを対称の留め具で挟持するという欠点を回避し、開口が拡大されることによって使い捨てコップの落下または複数の使い捨てコップがまとまって引き出されてしまうことを防止することができる。
【００３１】
上記のように、これらの実施の形態は本考案を例示する目的で示すものであり、本考案は、これらによって何ら限定されるものではない。本考案に係る実質的な技術内容は、実用新案登録請求の範囲に定義される。本考案はこの技術分野に精通したものが実用新案登録請求の範囲を脱しない範囲で色々な修飾や変更が可能であり、そうした修飾や変更は本考案の技術範囲に入るものである。
【図面の簡単な説明】
【００３２】
【図１】中華民国実用新案公告第０８６８９３号「長短挟持弾性片を有する紙コップ挟持容器」を模式的に示した図。
【図２】中華民国実用新案公告第４０１７９３号「取り出し式コップ挟持具」を模式的に示した図。
【図３】本考案に係る使い捨てコップの収納袋を模式的に示した図。
【図４】本考案に係る引き裂き部及び第２の熱溶着部が破壊された様子を模式的に示した図。
【図５Ａ】本考案に係る使い捨てコップの収納袋の第１の熱溶着部の非対称配列を模式的に示した図。
【図５Ｂ】本考案に係る使い捨てコップの収納袋の第１の熱溶着部の非対称配列を模式的に示した図。
【図５Ｃ】本考案に係る使い捨てコップの収納袋の第１の熱溶着部の非対称配列を模式的に示した図。
【符号の説明】
【００３３】
１１  軟管袋
１１０  錐形縮小部
１２  紙コップ挟持筒
１２１  弾性片
１２３、１３１、２５１  凸縁
１３、１５  紙コップ
２１、３  袋体
２１０  紙コップ装入口
２１２  紙コップ引き出し口
２３  留め具
３１  装入口
３２  引き出し口
３３、３３’  第１の熱溶着部
３４  屈曲の出口
３５  第２の熱溶着部
３６  引き裂き部
３７  掛け孔
３７ａ  硬質パッキング
４  使い捨てコップ
【図１】
0003134433.tif 000003
【図２】
0003134433.tif 000004
【図３】
0003134433.tif 000005
【図４】
0003134433.tif 000006
【図５Ａ】
0003134433.tif 000007
【図５Ｂ】
0003134433.tif 000008
【図５Ｃ】
0003134433.tif 000009